(57)【要約】  画像データの読取系と磁気データの読取系を処理可能であり、回路規模の増大、装置の増大を抑止することが可能な情報媒体読取装置および情報媒体読取方法を提供する。情報媒体ＭＣの磁気データを読み取り、アナログ磁気信号を出力する磁気ヘッド２３と、情報媒体ＭＣを撮影してアナログ画像信号を出力するイメージセンサ２４，２５と、画像読み取り時の黒基準電圧に応じた電圧をボトム電圧として、所定の変換電圧範囲内において、アナログ信号をデジタル信号に変換するアナログ／デジタル（Ａ／Ｄ）変換機能を有するアナログフロントエンド部３２と、アナログ磁気信号の電圧レベルを、所定の変換電圧範囲の中心値に相当するバイアス電圧を加えてレベル調整するレベル調整部２９と、を備え、レベル調整部２９でレベル調整されたアナログ磁気信号がアナログフロントエンド部３２に入力され、アナログ信号からデジタル信号にＡ／Ｄ変換処理される。
2015030022.tif 000002
【特許請求の範囲】
【請求項１】
情報媒体に記録された磁気データを読み取り、アナログ磁気信号を出力する磁気ヘッドと、
前記情報媒体面上の画像データを撮影してアナログ画像信号を出力するイメージセンサと、
前記アナログ磁気信号および前記アナログ画像信号のいずれかを、信号読取モード信号に応じて選択し出力するアナログスイッチ部と、
画像読み取り時の黒基準電圧に応じた電圧をボトム電圧として、所定の変換電圧範囲内において、アナログ信号をデジタル信号に変換するアナログ／デジタル（Ａ／Ｄ）変換機能を有するアナログフロントエンド部と、
前記アナログ磁気信号の電圧レベルを、前記所定の変換電圧範囲の中心値に相当するバイアス電圧を加えてレベル調整するレベル調整部と、
前記信号読取モード信号に応じて、前記アナログ画像信号またはアナログ磁気信号に応じた処理のクロックを含むタイミングを生成し、生成したタイミングにより少なくとも前記アナログスイッチ部、前記アナログフロントエンド部、前記レベル調整部の動作を制御するタイミング制御部と、を備え、
前記レベル調整部でレベル調整されたアナログ磁気信号が前記アナログフロントエンド部に入力され、アナログ信号からデジタル信号にＡ／Ｄ変換処理されることを特徴とする情報媒体読取装置。
【請求項２】
前記イメージセンサは、情報媒体からの光を受光するライン状に配置したラインセンサであり、
前記アナログフロントエンド部は、前記ラインセンサから出力される前記アナログ信号をライン周期でクランプするラインクランプ手段を備えていることを特徴とする請求項１記載の情報媒体読取装置。
【請求項３】
前記レベル調整部は、前記磁気ヘッドと前記アナログスイッチ部との間に配置されていることを特徴とする請求項１または２記載の情報媒体読取装置。
【請求項４】
前記タイミング制御部は、
前記アナログフロントエンド部におけるＡ／Ｄ変換のサンプリング周波数が、前記磁気データと前記画像データとで異なるように制御することを特徴とする請求項１または２記載の情報媒体読取装置。
【請求項５】
情報媒体に記録された磁気データを磁気ヘッドにより読み取り、アナログ磁気信号を出力する磁気データ読取ステップと、
前記情報媒体の表面および裏面の少なくとも一方の面の画像データをイメージセンサで撮影して、アナログ画像信号を出力する画像データ読取ステップと、
前記磁気ヘッドにより読み取られた磁気データおよび前記イメージセンサにより読み取られた画像データのいずれかを、モード信号に応じてアナログスイッチ部により選択し出力する選択ステップと、
画像読み取り時の黒基準電圧に応じた電圧をボトム電圧として、所定の変換電圧範囲内においてアナログ信号をデジタル信号に変換するアナログ／デジタル（Ａ／Ｄ）変換ステップと、
当該アナログ磁気信号の電圧レベルを、前記所定の変換電圧範囲の中心値に相当するバイアス電圧を加えてレベル調整するレベル調整ステップと、
前記モード信号に応じて、前記画像データまたは磁気データに応じた処理のクロックを含むタイミングを生成し、生成したタイミングにより少なくとも前記選択ステップ、前記アナログ／デジタル（Ａ／Ｄ）変換ステップ、前記レベル調整ステップの動作を制御するタイミング制御ステップと、を備え、
前記レベル調整ステップでレベル調整されたアナログ磁気信号が前記アナログ／デジタル（Ａ／Ｄ）変換ステップでアナログ信号からデジタル信号にＡ／Ｄ変換処理されることを特徴とする情報媒体読取方法。
【発明の詳細な説明】
【技術分野】
【０００１】
本発明は、情報媒体(の記録部)に記録された情報を読み取って処理する情報媒体読取装置および情報媒体読取方法に関するものである。
【背景技術】
【０００２】
従来から情報媒体として、例えば免許証，キャッシュカード，クレジットカード又はパスポートなど、個人認証などを実現する、カード状媒体がある。カード状媒体では、個人認証を実現するための個人情報を記録するにあたって、磁気ストライプ，バーコード，非接触ＩＣチップなどが使用される。【０００３】
カードリーダは、ＩＤカード表面上の磁気ストライプに磁気ヘッドを接触・摺動させることで、ＩＤカードに記録された磁気情報を読み取ったり、ＩＤカードに対して新たな磁気情報を書き込んだりする。このうち、カード状媒体(の記録部)に形成された磁気ストライプに記録された情報を読み取って処理するカードリーダが知られている。カードリーダは、カード上に形成された磁気ストライプに磁気ヘッドを接触・摺動させることで、カードに記録された磁気情報を読み取っている。【０００４】
そして、上述したカード状媒体には、その表面（おもてめん）側などに、顔写真，指紋又はサインなどの画像を用いて個人情報を記録する場合もある。この種の情報媒体読取装置は、たとえばカードスキャナの構成を主体して、カード搬送部に、カード状媒体の表面側および裏面側の画像データを撮影して読み取るラインセンサ等のイメージセンサが配置される他に、上述した磁気データの読み取り用の磁気ヘッドが配置される装置がある（たとえば特許文献１，２参照）。
【先行技術文献】
【特許文献】
【０００５】
【特許文献１】特開２００１−２９１０５７号公報
【特許文献２】特開２００７−３２３４８９号公報
【発明の概要】
【発明が解決しようとする課題】
【０００６】
このような情報媒体読取装置においては、イメージセンサで読み取られる画像データに対して信号処理を行う画像データ読取系（画像データ処理系）が形成されるメイン基板の他に、磁気ヘッドで読み取られる磁気データに対する信号処理を行う磁気データ読取系（磁気データ処理系）が形成されるサブ基板が別個設けられる。その結果、磁気信号読取系（磁気信号処理系）が形成されるサブの回路基板および周辺回路部品が必要となり、メインの回路基板とサブの回路基板が別々に必要であり、回路規模の増大、ひいては装置の増大となるという不利益がある。【０００７】
本発明の目的は、画像データの読取系と磁気データの読取系を処理可能であり、回路規模の増大、装置の増大を抑止することが可能な情報媒体読取装置および情報媒体読取方法を提供することにある。【０００８】
本発明の情報媒体読取装置は、情報媒体に記録された磁気データを読み取り、アナログ磁気信号を出力する磁気ヘッドと、前記情報媒体面上の画像データを撮影してアナログ画像信号を出力するイメージセンサと、前記アナログ磁気信号および前記アナログ画像信号のいずれかを、信号読取モード信号に応じて選択し出力するアナログスイッチ部と、画像読み取り時の黒基準電圧に応じた電圧をボトム電圧として、所定の変換電圧範囲内において、アナログ信号をデジタル信号に変換するアナログ／デジタル（Ａ／Ｄ）変換機能を有するアナログフロントエンド部と、前記アナログ磁気信号の電圧レベルを、前記所定の変換電圧範囲の中心値に相当するバイアス電圧を加えてレベル調整するレベル調整部と、前記信号読取モード信号に応じて、前記アナログ画像信号またはアナログ磁気信号に応じた処理のクロックを含むタイミングを生成し、生成したタイミングにより少なくとも前記アナログスイッチ部、前記アナログフロントエンド部、前記レベル調整部の動作を制御するタイミング制御部と、を備え、前記レベル調整部でレベル調整されたアナログ磁気信号が前記アナログフロントエンド部に入力され、アナログ信号からデジタル信号にＡ／Ｄ変換処理されることを特徴とする。【０００９】
本発明の情報媒体読取装置によれば、画像データの読取系と磁気データの読取系を処理可能であり、回路規模の増大、装置の増大を抑止することが可能となる。【００１０】
本発明において、前記イメージセンサは、情報媒体からの光を受光するライン状に配置したラインセンサであり、前記アナログフロントエンド部は、前記ラインセンサから出力される前記アナログ信号をライン周期でクランプするラインクランプ手段を備えていることを特徴とする。これにより、ラインクランプ手段は、画像データに対してライン周期でクランプするラインクランプを実行するものであり、ラインクランプ手段は、ビット周期でクランプするビットクランプに比べてクランプの回数が少ないため省電力化及び画像データの読み取り速度の向上に有効である。【００１１】
本発明において、前記レベル調整部は、前記磁気ヘッドと前記アナログスイッチ部との間に配置されていることを特徴とする。これにより、アナログフロントエンド部の前段にアナログスイッチ部を備えることにより、アナログスイッチ部で切り替える間にＡ／Ｄ変換機能で高速に変換することにより、全体のデータ転送速度を上げることも可能である。【００１２】
本発明において、前記タイミング制御部は、前記アナログフロントエンド部におけるＡ／Ｄ変換のサンプリング周波数が、前記磁気データと前記画像データとで異なるように制御することを特徴とする。これにより、Ａ／Ｄ変換対象のデータに合わせたサンプリング周波数に設定が可能となる。たとえばサンプリング周波数を高くすることにより、磁気データの読み取り精度を上げることができる。【００１３】
本発明の情報媒体読取方法は、情報媒体に記録された磁気データを磁気ヘッドにより読み取り、アナログ磁気信号を出力する磁気データ読取ステップと、前記情報媒体の表面および裏面の少なくとも一方の面の画像データをイメージセンサで撮影して、アナログ画像信号を出力する画像データ読取ステップと、前記磁気ヘッドにより読み取られた磁気データおよび前記イメージセンサにより読み取られた画像データのいずれかを、モード信号に応じてアナログスイッチ部により選択し出力する選択ステップと、画像読み取り時の黒基準電圧に応じた電圧をボトム電圧として、所定の変換電圧範囲内においてアナログ信号をデジタル信号に変換するアナログ／デジタル（Ａ／Ｄ）変換ステップと、当該アナログ磁気信号の電圧レベルを、前記所定の変換電圧範囲の中心値に相当するバイアス電圧を加えてレベル調整するレベル調整ステップと、前記モード信号に応じて、前記画像データまたは磁気データに応じた処理のクロックを含むタイミングを生成し、生成したタイミングにより少なくとも前記選択ステップ、前記アナログ／デジタル（Ａ／Ｄ）変換ステップ、前記レベル調整ステップの動作を制御するタイミング制御ステップと、を備え、前記レベル調整ステップでレベル調整されたアナログ磁気信号が前記アナログ／デジタル（Ａ／Ｄ）変換ステップでアナログ信号からデジタル信号にＡ／Ｄ変換処理されることを特徴とする。
【発明の効果】
【００１４】
本発明によれば、画像データの読取系と磁気データの読取系を処理可能であり、回路規模の増大、装置の増大を抑止することが可能となる。
【図面の簡単な説明】
【００１５】
【図１】本発明の実施形態に係るカード状媒体を情報媒体とする情報媒体読取装置の構成例の概略を示す図である。
【図２】カード状媒体の記録情報例と磁気ヘッドによる読み出し信号例の波形を示す図である。
【図３】本実施形態に係るレベル調整部において入力したアナログ磁気信号に所定の変換電圧範囲ＶＲＮＧの中心値に相当するバイアス電圧ＶＩＳを加える処理を概略的に示す図である。
【図４】本実施形態に係る表示部に表示された磁気信号の具体的な波形例を示す図である。
【図５】本実施形態に係るアナログスイッチ部の構成例を概略的に示す図である。
【図６】本実施形態に係るアナログフロントエンド部の構成例を概略的に示す図である。
【図７】本実施形態に係るアナログフロントエンド部におけるＡ／Ｄ変換部の構成例を示す図である。
【図８】本実施形態に係るアナログフロントエンド部における画像信号の入力から出力までの一連の処理波形を示す図である。
【図９】本実施形態に係るタイミングジェネレータの制御の下に画像信号が転送ポートを転送される一連の処理の一例を示す図である。
【図１０】本実施形態に係るデジタル信号処理部の構成例を示す図である。
【図１１】本実施形態において処理される最終画像サイズの一例を示す図である。
【図１２】本実施形態における画像信号の並べ替え処理の一例を示す図である。
【図１３】本実施形態に係るタイミングジェネレータの要部の構成例を示す図である。
【図１４】本実施形態に係るタイミングジェネレータのセンサ光源部制御部における画像信号に対する制御動作の一例を説明するための図である。
【図１５】本実施形態に係る情報媒体読取装置の全体的な動作を説明するためのフローチャートである。
【図１６】図１５の磁気信号読取処理を説明するためのフローチャートである。
【図１７】図１５の画像信号読取処理を説明するためのフローチャートである。
【発明を実施するための形態】
【００１６】
以下、本発明の実施形態を図面に関連付けて説明する。
【００１７】
本実施形態の情報媒体読取装置１０は、イメージセンサを搭載したカードスキャナにおいて磁気ヘッドをさらに備えている。情報媒体読取装置１０は、基本的に、イメージセンサのアナログ出力をデジタル処理するために使用する画像データ読取系としての画像処理ＩＣにより構成され、アナログ信号をデジタル信号に変換するアナログ／デジタル（Ａ／Ｄ）変換機能を有するアナログフロントエンド（ＡＦＥ）部を、磁気データ読取系と共用している。そして、磁気ヘッドで読み取った磁気データをＡ／Ｄ変換し、デジタル復調により磁気データの読み取りを行う。
【００１８】
情報媒体読取装置１０は、後で詳述するように、次に示すような特徴的な構成を有する。１）画像データ読み取り時と磁気データ読み取り時とでアナログフロントエンド（ＡＦＥ）部のサンプリング周波数（サンプリングレート）をそれぞれに合わせて切り替えを行う。２）画像データ読み取りにおいて、ラインセンサを使用している場合、１ラインごとのバースト状のデータを取り込むのに対し、磁気データの読み取りについては、連続した磁気データを取り込む必要があるために、それぞれに合わせてデータ転送（取り込み）の切り替えを行う。３）所定の変換電圧範囲内に最適に収まるバイアス電圧を磁気データ読み取り時に磁気データに加えてからＡ／Ｄ変換を行うことから、アナログフロントエンド（ＡＦＥ）部を共用することができる。
【００１９】
また、本実施形態においては磁気データの読み取りに際しては、周波数変調方式で磁気記録された“０”および“１”信号に対するＦおよび２Ｆ信号を読み取り再生等する場合を例に説明する。ただし、本技術はＦ２Ｆ方式に限定されるものではない。
【００２０】
また、本実施形態における読み取り対象の情報媒体はカード状媒体であり、以下の説明では“カード状媒体”と呼ぶこととする。カード状媒体は、磁気ストライプが形成されたカードや紙用類によるチケット、運転免許証等、情報媒体読取装置の搬送部により搬送路を搬送可能な、種々の形態の情報媒体が含まれる。
【００２１】
［情報媒体（カード状媒体）読取装置の全体構成の概要］
図１は、本発明の実施形態に係るカード状媒体を情報媒体とする情報媒体読取装置の構成例の概略を示す図である。図２は、カード状媒体の記録情報例と磁気ヘッドによる読み出し信号例の波形を示す図である。図２（Ａ）はカード状媒体に記録された磁気データを、図２（Ｂ）は磁気ヘッドで読み出し増幅したアナログ磁気信号を、図２（Ｃ）は読み取られて復調されるＦ２Ｆ信号をそれぞれ示している。
【００２２】
本実施形態の情報媒体読取装置１０は、図１に示すように、カード処理部２０、および読取処理部３０を有する。また、図１において、読取処理部３０は、通信線を介してホスト装置（上位装置）４０と接続され、ホスト装置４０からの指令に従って処理を実行し、処理後のデータをホスト装置４０に転送するように構成される。ホスト装置４０と情報媒体読取装置（下位装置）との通信を確立するためには、ＲＳ２３２Ｃ方式、パラレルポート方式、ＵＳＢ(Universal Serial Bus)接続方式など種々の通信方式が採用可能である。図１の例ではＵＳＢ方式が採用されている。
【００２３】
カード処理部２０は、カード搬送路２１、および図示しない駆動モータにより駆動される搬送ローラ２２−１〜２２−３等によりカード状媒体ＭＣをカード搬送路２１に沿って搬送するカード搬送部２２を有する。カード処理部２０は、カード搬送路２１に沿って、カード状媒体ＭＣの磁気ストライプｍｓの磁気データを読み取る磁気ヘッド２３、並びにカード状媒体ＭＣの表面（上面）側および裏面（下面）側の画像データＩＭを撮影して読み取るラインセンサ等の第１のイメージセンサ（上イメージセンサ）２４および第２のイメージセンサ（下イメージセンサ）２５が配置されている。
【００２４】
本実施形態において、第１のイメージセンサ２４および第２のイメージセンサ２５は、たとえばラインセンサにより構成される。イメージセンサの撮像素子は、たとえばＣＣＤやＣＭＯＳセンサにより形成される。第１のイメージセンサ２４および第２のイメージセンサ２５は、カード状媒体ＭＣの表面（上面）側および裏面（下面）側の画像データＩＭを撮影して読み取るラインセンサであり、主走査方向にライン状（一次元配列した）に画素が配置されている。すなわち、ラインセンサは、入射光量に対応した電圧をアナログ画像信号として出力する機能を有する光電変換素子である。さらに、第１のイメージセンサ２４および第２のイメージセンサ２５は、カード状媒体ＭＣから画像を読み取り、各チャンネル（本実施形態ではch１，ch２，ch３）から出力される出力信号、即ちイメージセンサ２４、２５を構成する各chからの出力信号をアナログスイッチ部３２に入力する。このように、イメージセンサ２４、２５は、ライン状に配置された画素の任意の数を１組とする複数のチャンネルｃｈ（領域）に分けられており、領域毎にアナログ画像信号を出力する。
【００２５】
図１の例では、カード挿入口側に磁気ヘッド２３が配置され、さらにカード処理部２０の内部に第１のイメージセンサ２４と第２のイメージセンサ２５がカード搬送路２１を挟んで対向するように配置されている。この配置構成は一例であり、カード挿入口側に第１のイメージセンサ２４および第２のイメージセンサ２５が配置され、さらに内部側に磁気ヘッド２３が配置される構成も採用することが可能である。
【００２６】
（光源部）
第１のイメージセンサ２４および第２のイメージセンサ２５の配置領域には、画像データ読み取り時の照明光をカード状媒体ＭＣに照射する第１の光源部２６および第２の光源部２７が配置されている。第１の光源部２６は、第１のイメージセンサ２４が撮影するカード状媒体ＭＣの表面（上面）側を照明する。第１の光源部２６は、たとえば通常（可視光）光源２６−１、赤外（ＩＲ）光源２６−２、紫外（ＵＶ）光源２６−３等を含んで構成される。
【００２７】
第２の光源部２７は、第２のイメージセンサ２５が撮影するカード状媒体ＭＣの裏面（下面）側を照明する。第２の光源部２７は、たとえば通常（可視光）光源２７−１、赤外（ＩＲ）光源２７−２、紫外（ＵＶ）光源２７−３等を含んで構成される。
【００２８】
カード処理部２０は、磁気ヘッド２３で読み取られる磁気データの転送ライン（伝送ライン）に、アンプ２８およびレベル調整部２９が配置されている。
【００２９】
また、カード搬送路２１には、搬送対象であるカード状媒体ＭＣの有無や搬送位置を検出する図示しないセンサが複数配置されており、これらセンサの検出結果に応じて、磁気ヘッド２３による磁気データの読み取り動作、第１のイメージセンサ２４および第２のイメージセンサ２５による画像データの読み取り動作が、読取処理部３０側あるいはホスト装置４０により行われる。また、第１の光源部２６および第２の光源部２７は、たとえば読取処理部３０の制御の下に、発光光源が適宜選択され駆動される。なお、撮像画像の選択はホスト装置４０側で設定される。ここで、撮像画像の選択とは、第１の光源部２６および第２の光源部２７を構成している通常（可視光）光源で撮像した場合、赤外（ＩＲ）光源で撮像した場合、紫外（ＵＶ）光源２６−３で撮像した場合の選択を示している。さらに、本実施形態では、通常（可視光）光源でした場合には、図１に示すように、Ｒ（赤）、Ｇ（緑）、Ｂ（青）ごとに撮像した場合で選択することも可能である。
【００３０】
磁気ヘッド２３は、情報媒体（磁気記録媒体）であるカード状媒体ＭＣに、たとえば図２（Ａ）に示ように、Ｆ２Ｆ変調方式により記録された磁気データＳ２３を、アナログ磁気信号として読み出す。磁気ヘッド２３で読み取られたアナログ磁気信号Ｓ２３はアンプ２８に供給される。
【００３１】
アンプ２８は、たとえば演算増幅器による差動増幅回路により構成可能であり、磁気ヘッド２３により読み出され再生されたアナログ磁気信号Ｓ２３を所定のゲインをもって適正なレベルに増幅して、図２（Ｂ）に示すような増幅したアナログ磁気信号（増幅信号）Ｓ２８をレベル調整部２９に出力する。アンプ２８は、たとえば図示しない基準電圧回路により供給される基準電圧Ｖｒｅｆに基づき出力アナログ磁気信号Ｓ２８の中間値ＶＭが設定される。アンプ２８は、信号の振幅を、たとえばフルレンジの１／４に設定するようにゲイン（利得）制御を行う。
【００３２】
磁気ヘッド２３で読み出され、アンプ２８で増幅作用を受けたアナログ磁気信号Ｓ２８は、図１および図２（Ｂ）に示すように、連続したアナログ（磁気）である。
【００３３】
レベル調整部２９は、アンプ２８で増幅作用を受けた磁気信号Ｓ２８の電圧レベルを、後で詳述するアナログフロントエンド部３２におけるＡ／Ｄ変換部における所定の変換電圧範囲ＶＲＮＧ内となるようにレベル調整し、レベル調整した磁気信号Ｓ２９を読取処理部３０のアナログスイッチ部３１に出力する。本実施形態において、後述するようにアナログフロントエンド部３２のＡ／Ｄ変換部は、レベル調整部２９により電圧レベルが変換電圧範囲ＶＲＮＧ内となるように調整された磁気信号を変換電圧範囲ＶＲＮＧ内においてアナログ信号からデジタル信号にＡ／Ｄ変換することになる。
【００３４】
レベル調整部２９は、図３に示すように、入力したアナログ磁気信号に所定の変換電圧範囲ＶＲＮＧの中心値に相当するバイアス電圧ＶＩＳを加えてレベル調整し、バイアス電圧ＶＩＳを加えられた後の磁気信号Ｓ２９を読取処理部３０のアナログスイッチ部３１に出力する。
【００３５】
図３は、本実施形態に係るレベル調整部において入力したアナログ磁気信号に所定の変換電圧範囲ＶＲＮＧの中心値に相当するバイアス電圧ＶＩＳを加える処理を概略的に示す図である。図４は、本実施形態に係る表示部に表示された磁気信号の具体的な波形例を示す図である。
【００３６】
なお、本実施形態においては、レベル調整部２９は磁気ヘッド２３で読み取られたアナログ磁気信号の転送ラインにうち、アンプ２８の出力側で読取処理部３０の入力前段に配置されているが、磁気ヘッド２３で読み取られた磁気信号のアナログフロントエンド部３２におけるＡ／Ｄ変換部に至るまでの転送ラインのいずれかに配置されていればよい。換言すれば、レベル調整部２９は、共用するアナログフロントエンド部３２のＡ／Ｄ変換部において、画像信号と同じ変換電圧範囲ＶＲＮＧでＡ／Ｄ変換できるようにレベル調整可能な位置に配置することが可能である。
【００３７】
すなわち、本実施形態において、レベル調整部２９は、磁気ヘッド２３で読み取られたアナログ磁気信号に、所定の変換電圧範囲ＶＲＮＧの中心値に相当するバイアス電圧ＶＩＳを加えてレベル調整し、アナログフロントエンド部３２は、バイアス電圧を加えられた後のアナログ磁気信号を変換電圧範囲ＶＲＮＧ内においてアナログ信号からデジタル信号にＡ／Ｄ変換するように構成される。
【００３８】
第１のイメージセンサ２４および第２のイメージセンサ２５は、それぞれ、カード搬送路２１の上方および下方に設置されている。第１のイメージセンサ（表面用ラインセンサ）２４は、カード状媒体ＭＣの表面ＭＣａで反射した光を受光し、受光量に応じた第１の画像信号（ライン信号）Ｓ２４を読取処理部３０のアナログスイッチ部３１に出力する。
第２のイメージセンサ（裏面用ラインセンサ）２５は、カード状媒体ＭＣの裏面ＭＣｂで反射した光を受光し、受光量に応じた第２の画像信号（ライン信号）Ｓ２５を読取処理部３０のアナログスイッチ部３１に出力する。
【００３９】
第１のイメージセンサ２４で読み取られる第１の画像信号（以下、上側画像信号あるいは単に画像信号という場合もある）は、図１に示す例では、１列目がＲ（赤）画像データであり、３列目がＧ（緑）画像信号であり、５列目がＢ（青）画像信号である。第２のイメージセンサ２５で読み取られる第２の画像信号（以下、下側画像信号あるいは単に画像信号という場合もある）は、図１に示す例では、２列目がＲ（赤）画像信号であり、４列目がＧ（緑）画像信号であり、６列目がＢ（青）画像信号である。
【００４０】
通常（可視光）光源２６−１，２７−１は、それぞれ、カード搬送路２１の上方および下方に配置されている。通常光源（表面用通常光源）２６−１は、カード状媒体ＭＣの表面ＭＣａに可視光を照射する。通常光源（裏面用通常光源）２７−１は、カード状媒体ＭＣの裏面ＭＣｂに可視光を照射する。通常光源２６−１，２７−１としては、たとえばＬＥＤ（発光ダイオード）等を採用することができる。
【００４１】
赤外光源２６−２，２７−２は、それぞれ、カード搬送路２１の上方および下方に配置されている。赤外光源（表面用赤外光源）２６−２は、カード状媒体ＭＣの表面ＭＣａに赤外光を照射する。赤外光源（裏面用赤外光源）２７−２は、カード状媒体ＭＣの裏面ＭＣｂに赤外光を照射する。赤外光源２６−２，２７−２としては、たとえばＬＥＤ（発光ダイオード）等を採用することができる。
【００４２】
紫外光源２６−３，２７−３は、それぞれ、カード搬送路２１の上方および下方に配置されている。紫外光源（表面用紫外光源）２６−３は、カード状媒体ＭＣの表面ＭＣａに紫外光を照射し、カード状媒体ＭＣの表面ＭＣａに形成された認証用情報や指紋跡等を浮かび上がらせる。紫外光源（裏面用紫外光源）２７−３は、カード状媒体ＭＣの裏面ＭＣｂに紫外光を照射、カード状媒体ＭＣの裏面ＭＣｂに形成された認証用情報や指紋跡等を浮かび上がらせる。紫外光源２６−３，２７−３としては、たとえば、ＬＥＤ（発光ダイオード）等を採用することができる。
【００４３】
（読取処理部）
読取処理部３０は、アナログスイッチ部３１、画像処理集積回路（画像処理ＩＣ）の機能を主機能として有するアナログフロントエンド（ＡＦＥ）部３２、転送ポート３３、ＣＰＵ等により構成されるデジタル信号処理部３４、タイミング制御部としてのタイミングジェネレータ３５、およびメモリ３６を有する。
【００４４】
本実施形態では、基本的に、読取モードとして、アナログ磁気信号を読み取る磁気信号読取モード（第１の読取モード）と、アナログ画像信号を読み取る画像信号読取モード（第２の読取モード）を有する。本実施形態においては、モード信号ＭＯＤによりアナログ磁気信号を読み取る磁気信号読取モード（第１の読取モード）であるかアナログ画像信号を読み取る画像信号読取モード（第２の読取モード）であるかが示されるように構成される。モード信号ＭＯＤは、たとえば１ビットあるいは２ビットの信号として形成され、１ビットの信号である場合、たとえばハイレベル（Ｈ）に設定されているときは磁気信号読取モード（第１の読取モード）であることを示し、ローレベル（Ｌ）に設定されているときはアナログ画像信号を読み取る画像信号読取モード（第２の読取モード）であることを示す。このモード信号ＭＯＤは、たとえば図示しないカードの位置等を検出する検出センサの検出結果に応じてデジタル信号処理部３４で設定するように構成される。ただし、これは一例であり、ホスト装置４０から設定する等、種々の態様が可能である。
【００４５】
（アナログスイッチ部）
アナログスイッチ部３１は、磁気ヘッド２３により読み取られアンプ２８で増幅され、レベル調整部２９でレベル調整されたアナログ磁気信号Ｓ２９、並びに第１のイメージセンサ２４および第２のイメージセンサ２５により読み取られたアナログ画像信号Ｓ２４、Ｓ２５のいずれかを、モード信号ＭＯＤに応じて選択して、アナログフロントエンド部３２に出力する。アナログスイッチ部３１は、モード信号ＭＯＤがハイレベル（Ｈ）で供給されているときはアナログ磁気信号Ｓ２９を選択してアナログフロントエンド部３２に出力する。アナログスイッチ部３１は、モード信号ＭＯＤがローレベル（Ｌ）で供給されているときはアナログ画像信号Ｓ２４またはＳ２５を選択してアナログフロントエンド部３２に出力する。
【００４６】
本実施形態において、アナログスイッチ部３１は、モード信号ＭＯＤがローレベル（Ｌ）で供給されているときであって、タイミングジェネレータ３５によりタイミング信号ＴＴをたとえばアクティブのハイレベル（Ｈ）で受けているときは第１のイメージセンサ２４による画像信号Ｓ２４を選択してアナログフロントエンド部３２に出力する。本実施形態において、アナログスイッチ部３１は、モード信号ＭＯＤがローレベル（Ｌ）で供給されているときであって、タイミングジェネレータ３５によりタイミング信号ＴＢをたとえばアクティブのハイレベル（Ｈ）で受けているときは第２のイメージセンサ２５による画像信号Ｓ２５を選択してアナログフロントエンド部３２に出力する。
【００４７】
図５は、本実施形態に係るアナログスイッチ部の構成例を概略的に示す図である。図５のアナログスイッチ部３１Ａは、第１のスイッチ部３１１および第２のスイッチ部３１２を含んで構成されている。
【００４８】
第１のスイッチ部３１１は、スイッチＳＷ１を有し、入力端子にアナログ磁気信号Ｓ２９が供給され、モード信号ＭＯＤをハイレベル（Ｈ）で受けるとスイッチＳＷ１がオンし（導通し）、入力した磁気信号Ｓ２９をアナログフロントエンド部３２に転送する。
【００４９】
第２のスイッチ部３１２は、スイッチＳＷ２およびＳＷ３を有し、モード信号ＭＯＤがローレベル（Ｌ）で受けているときに、これらスイッチＳＷ２およびＳＷ３のオン、オフ制御が可能なアクティブ状態となる。第２のスイッチ部３１２は、このアクティブ状態時に、タイミングジェネレータ３５によりタイミング信号ＴＴをアクティブのハイレベル（Ｈ）で受けると、スイッチＳＷ２がオンし、第１のイメージセンサ２４による画像信号Ｓ２４をアナログフロントエンド部３２に転送する。このとき、スイッチＳＷ３はオフ（非導通）状態にある。第２のスイッチ部３１２は、このアクティブ状態時に、タイミングジェネレータ３５によりタイミング信号ＴＢをアクティブのハイレベル（Ｈ）で受けると、スイッチＳＷ３がオンし、第２のイメージセンサ２５による画像信号Ｓ２５をアナログフロントエンド部３２に転送する。このとき、スイッチＳＷ２はオフ（非導通）状態にある。
【００５０】
基本的に、タイミング信号ＴＴとＴＢは相補的にアクティブのハイレベル（Ｈ）に設定される。すなわち、タイミング信号ＴＴがアクティブのハイレベル（Ｈ）に設定されているときは、タイミング信号ＴＢが非アクティブのローレベル（Ｌ）に設定され、タイミング信号ＴＢがアクティブのハイレベル（Ｈ）に設定されているときは、タイミング信号ＴＴが非アクティブのローレベル（Ｌ）に設定される。
【００５１】
なお、スイッチＳＷ１、ＳＷ２、ＳＷ３は、たとえば絶縁ゲート型電界効果トランジスタ（ＦＥＴ）を適用して構成される。たとえば、ＳＷ１〜ＳＷ３は、ｐチャネルＦＥＴとｎチャネルＦＥＴのソース・ドレイン同士を接続したトランスミッションゲート等により構成可能である。
【００５２】
（アナログフロントエンド部）
アナログフロントエンド部３２は、オプテイカルクランプ機能（オフセット機能）とＡ／Ｄ変換機能を併せ持ったアナログ信号処理部である。本実施形態では、アナログフロントエンド部３２は、たとえばモード信号ＭＯＤに応じて、画像読み取り時の黒基準電圧に応じた電圧をボトム電圧として、所定の変換電圧範囲ＶＲＮＧ内においてクロックＡＤＣＬＫに同期して、アナログ信号をデジタル信号に変換するＡ／Ｄ変換機能を有する。
アナログフロントエンド部３２は、モード信号ＭＯＤがハイレベル（Ｈ）であり、アナログスイッチ部３１によりアナログ磁気信号Ｓ２８が選択された場合は、レベル調整部２９により電圧レベルが変換電圧範囲ＶＲＮＧ内となるように調整されたアナログ磁気信号を、変換電圧範囲ＶＲＮＧ内においてアナログ信号からデジタル信号にＡ／Ｄ変換する。アナログフロントエンド部３２は、モード信号ＭＯＤがローレベル（Ｌ）であり、アナログスイッチ部３１によりアナログ画像信号Ｓ２４，Ｓ２５が選択された場合は、画像信号Ｓ２４，Ｓ２５を読み取りレベルのままでアナログ信号からデジタル信号にＡ／Ｄ変換する。
【００５３】
ここで、黒基準電圧とは複数ビットの階調の場合に、「０」の基準となる電圧ＶＲＥＦBottomであり、アナログの電圧範囲としては、たとえば１Ｖである。また、基準電圧を基準として、階調のトップ、たとえば１０ビットのＡ／Ｄ変換の場合は、「２１０＝１０２３」の基準になる電圧ＶＲＥＦTopが設定され、アナログの電圧範囲としては、たとえば２Ｖ（あるいは３Ｖ）に設定される。そして、所定の変換電圧範囲ＶＲＮＧとは、「０」の基準となる電圧ＶＲＥＦBottomと階調のトップの基準になる電圧ＶＲＥＦTopとの間の電圧範囲である。電圧ＶＲＥＦBottomおよび電圧ＶＲＥＦTopも変換電圧範囲ＶＲＮＧに含まれる。
【００５４】
図６は、本実施形態に係るアナログフロントエンド部の構成例を概略的に示す図である。図６のアナログフロントエンド部３２Ａは、Ａ／Ｄ変換部３２１、アナログ信号入力部３２２、およびデジタル信号転送部３２３を含んで構成されている。
【００５５】
Ａ／Ｄ変換部３２１は、レベル調整部２９でレベル調整され、アナログスイッチ部３１から供給されるアナログ磁気信号Ｓ２９、アナログスイッチ部３１から供給されるアナログ画像信号Ｓ２４，Ｓ２５を、画像読み取り時の黒基準電圧に応じた電圧をボトム電圧として、所定の変換電圧範囲ＶＲＮＧ内においてクロックＡＤＣＬＫに同期して、デジタル信号にＡ／Ｄ変換する。Ａ／Ｄ変換部３２１は、モード信号ＭＯＤがハイレベル（Ｈ）に設定されているときは磁気信号読取モード（第１の読取モード）であるとして、レベル調整部２９でレベル調整され、アナログスイッチ部３１から供給されるアナログ磁気信号Ｓ２９をデジタル磁気信号に変換する。Ａ／Ｄ変換部３２１は、モード信号ＭＯＤがローレベル（Ｌ）に設定されているときはアナログ画像信号を読み取る画像信号読取モード（第２の読取モード）であるとして、アナログスイッチ部３１から供給されるアナログ画像信号Ｓ２４，Ｓ２５をそのままのレベルでデジタル画像信号に変換する。
【００５６】
図７は、本実施形態に係るアナログフロントエンド部におけるＡ／Ｄ変換部の構成例を示す図である。図７のＡ／Ｄ変換部３２１Ａは、Ａ／Ｄ変換器３２１１、ブラッククランプ回路３２１２、および加算器３２１３を含んで構成されている。
【００５７】
Ａ／Ｄ変換器３２１１は、ＭビットのＡ／Ｄ変換器として構成され、「０」の基準となるボトム基準電圧ＶＲＥＦBottomが１Ｖに設定され、階調のトップの基準になるトップ基準電圧ＶＲＥＦTopが２Ｖ（あるいは３Ｖ）に設定され、ボトム基準電圧ＶＲＥＦBottomとトップ基準電圧ＶＲＥＦTop間の電圧範囲（振幅）を変換電圧範囲ＶＲＮＧ（ここでは１Ｖあるいは２Ｖ）として、クロックＡＤＣＬＫに同期して、入力されるアナログ信号をデジタル信号にＡ／Ｄ変換する。
【００５８】
ブラッククランプ回路３２１２は、ラインクランプ手段であり、オプティカルブラックのクランプパルスＯＢＣＬＰによりＡ／Ｄ変換器３２１１の出力デジタル信号をクランプし、加算器３２１３に出力する。なお、ブラッククランプ回路３２１２は、イメージセンサから出力されたアナログ画像信号の黒画素出力期間にクランプ処理が行なわれる。黒画素出力期間は、イメーイセンサが遮光されており、光（反射光）が入ってもレベルが変動することはない。この黒画素出力期間のイメージセンサの出力をアナログ画像信号の絶対黒基準として「黒レベル」と呼ぶ。すなわち、ブラッククランプ回路３２１２は、１ラインの間の電位を一定に保つことにより黒レベルを固定して、この黒レベルを基準にして黒画素出力期間のイメージセンサの出力に対する黒レベル補正処理を行う。
【００５９】
加算器３２１３は、入力アナログ信号（Ｓ３２３，Ｓ２４，Ｓ２５）にブラッククランプ回路３２１２の出力を加算してＡ／Ｄ変換器３２１１に入力させる。すなわち、加算器３２１３は、ゲイン（感度）調整に使用され、入力されたアナログ画像信号を設定されたゲイン（感度）に応じて増幅する。
【００６０】
このように、本実施形態のＡ／Ｄ変換部３２１Ａは、Ａ／Ｄ変換器３２１１の出力をブラッククランプ回路３２１２２および加算器３２１３により入力にフィードバックさせ、常時、黒レベルが一定値となるように制御している。すなわち、本実施形態では、ブラッククランプ回路３２１２２によりクランプ調整（オフセット調整）を行い、加算器３２１３によりゲイン調整を行うことで、Ａ／Ｄ変換器３２１１の変換範囲をフルに発揮するための調整を実現している。クランプ調整（オフセット調整）は、第１のイメージセンサ２４および第２のイメージセンサ２５からのラインセンサ出力の基準電圧を一定にするように調整している。このように、ラインクランプ手段としてのブラッククランプ回路３２１２２は、例えばアナログ画像データに対してライン周期でクランプするラインクランプを実行するものである。ラインクランプは、ビット周期でクランプするビットクランプに比べてクランプの回数が少ないため省電力化及びアナログ画像データの読み取り速度の向上に有効である。また、ラインクランプ手段としてのブラッククランプ回路３２１２２は、本実施形態のようなカードスキャナやオフィス機器などの高速なＡ／Ｄ変換処理が要求されるアプリケーションには向いている。
【００６１】
Ａ／Ｄ変換器３２１１は、クロックＡＤＣＬＫに同期してＡ／Ｄ変換を行うが、このクロックＡＤＣＬＫは、たとえばタイミング制御部であるタイミングジェネレータ３５により供給される。
【００６２】
本実施形態において、アナログフロントエンド部３２におけるＡ／Ｄ変換器３２１１のクロックＡＤＣＬＫの周波数、すなわち、サンプリング周波数は、アナログ磁気信号とアナログ画像信号とで異なるように制御される。また、サンプリング周波数は任意に変更可能となっている。アナログフロントエンド部３２のＡ／Ｄ変換器３２１１は、予め設定されたクロックＡＤＣＬＫの周波数（サンプリング周波数）でアナログ画像信号（アナログ磁気信号）をサンプリングして、デジタル画像信号（アナログ磁気信号）に変換し、デジタル信号処理部３４に出力している。
【００６３】
アナログ信号入力部３２２は、アナログスイッチ部３１の出力信号を入力し、たとえばモード信号ＭＯＤに応じてアナログスイッチ部３１から供給される入力信号を、Ａ／Ｄ変換部３２１に出力する。アナログ信号入力部３２２は、アナログスイッチ部３１の出力信号を入力し、モード信号ＭＯＤがハイレベル（Ｈ）に設定されているときは磁気信号読取モード（第１の読取モード）であるとして、入力された磁気信号はアナログ磁気信号Ｓ２９であると判断し、この磁気信号Ｓ２９をＡ／Ｄ変換部３２１に出力する。アナログ信号入力部３２２は、アナログスイッチ部３１の出力信号を入力し、モード信号ＭＯＤがローレベル（Ｌ）に設定されているときは画像信号読取モード（第２の読取モード）であるとして、入力された画像信号はアナログ画像信号Ｓ２４またはＳ２５であると判断し、入力した画像信号Ｓ２４またはＳ２５をＡ／Ｄ変換部３２１に出力する。
【００６４】
デジタル信号転送部３２３は、転送ポート３３の一端側が接続され、モード信号ＭＯＤ信号に応じて、Ａ／Ｄ変換部３２１でデジタル信号に変換されたデジタル磁気信号、またはデジタル画像信号を、たとえばサンプリング周波数のクロックＡＤＣＬＫの２倍の周波数のクロック２ＡＤＣＬＫに同期して転送する。
【００６５】
［サンプリング周波数についての説明］
ここで、Ａ／Ｄ変換部３２１のＡ／Ｄ変換器３２１１のサンプリング周波数について述べる。本実施形態においては、画像信号読み取りと磁気信号の読み取りで下記のように別々のサンプリング周波数としている。
【００６６】
＜画像信号読み取り時のサンプリング周波数＞
画像信号読み取り時のサンプリング周波数は、第１のイメージセンサ２４および第２のイメージセンサ２５の読み取りクロックを８ＭＨｚとして、３チャンネルで共用する３チャンネルＳＨＡモードで使用するとして、（イメージセンサの読み取りクロック８ＭＨｚ）×（３チャンネル）分で２４ＭＨｚに設定される。
【００６７】
＜磁気信号読み取り時のサンプリング周波数＞
磁気信号読み取り時のサンプリング周波数は、デジタル復調方式（たとえばパターンマッチング）を転用できるように、その方式に合わせたサンプリング周波数に設定される。磁気信号読み取り時のサンプリング周波数については、自由に設定可能であり、本実施形態においては、実績のある方式を転用し設計手番を短縮するようにしている。実際には、一例としては、カード搬送速度＝１９０ｍｍ／ｓで、バイトあたり１９サンプリング（２１０ＢＰＩ）となるように設定する必要がある場合、逆算すると、磁気信号読み取り時のサンプリング周波数は８９．６ｋＨｚに設定される。なお、本実施形態では、アナログ画像信号およびアナログ磁気信号が複数チャンネル（３チャンネル）で並行して出力することで見かけ上のアナログ画像信号（アナログ磁気信号）転送速度を上げることが可能となる。すなわち、アナログフロントエンド部３２のＡ／Ｄ変換部３２１の前段にアナログスイッチ部３１を備え、アナログスイッチ部３１で切り替える間にＡ／Ｄ変換部３２１で高速に変換することにより、全体のデータ転送速度を上げることも可能である。
【００６８】
＜変形例＞
磁気信号読み取り時のサンプリング周波数を任意に変更可能である。たとえば、サンプリング周波数をさらに高くすることにより、より詳細な磁気波形を採取可能となる。
【００６９】
図８は、本実施形態に係るアナログフロントエンド部における画像信号の入力から出力までの一連の処理波形を示す図である。
【００７０】
アナログフロントエンド部３２は、上述したように、３チャンネルのＳＨＡモードで使用され、画素信号は８ＭＨｚの周期で入力されてくる。そして、周波数２４ＭＨｚの画素転送クロックに対応するクロックＡＤＣＬＫでサンプリングされてＡ／Ｄ変換が行われ、Ａ／Ｄ変換後のデジタル信号がサンプリング周波数２４ＭＨｚの２倍の周波数のクロック２ＡＤＣＬＫに同期して、転送ポート３３に転送される。アナログフロントエンド部３２から転送される画像信号はランダムな信号であることから、後段のホスト装置４０あるいはデジタル信号処理部３４において、並べ替え等の画像処理が必要となる。
【００７１】
また、アナログフロントエンド部３２から転送される磁気信号は、そのまま転送ポート３３を通して信号処理部３４に供給される。なお、カード状媒体ＭＣに形成された磁気ストライプｍｓには、複数のトラックが形成され、トラックごと（例えば、３トラック）に磁気データが記録されているものもあるが、この場合には、後段のホスト装置４０あるいは信号処理部３４において、トラックごと（例えば、３トラック）に磁気信号を並べ替え等の処理が必要となる。
【００７２】
転送ポート３３は、一端がアナログフロントエンド部３２の転送部に接続され、他端が信号処理部３４のデータ受信部に接続された、たとえばＤＭＡ（Direct Memory Access）転送を伴うビデオポートにより構成され、タイミングジェネレータ３５のタイミング制御の下、アナログフロントエンド部３２でＡ／Ｄ変換されたデジタル磁気信号およびデジタル画像信号をデジタル信号処理部３４に伝送する。本実施形態では、アナログ磁気信号のサンプリング周波数は、タイミングジェネレータ３５から供給されるタイミング制御クロック（サンプリング周波数）に基づいて行われる。例えば、サンプリングのタイミングやサンプリング期間等のサンプリングに必要なタイミングは、タイミングジェネレータ３５から供給されるタイミング制御クロック（サンプリング周波数）に基づいて設定される。なお、タイミングジェネレータ３５は前述したようにクロックパターン設定レジスタに基づいて様々なクロックパターンを生成できる。このため、クロックパターン設定レジスタの値を任意に設定することでサンプリング制御部としてのタイミングジェネレータ３５に必要なクロックを調整することができる。
【００７３】
図９は、本実施形態に係るタイミングジェネレータの制御の下に画像信号が転送ポートを転送される一連の処理の一例を示す図である。図９は、図１に示されている上側と下側の画素配列に沿った画素信号の転送例を示している。
【００７４】
図９（Ａ）は垂直有効信号ＶＶａｌｉｄを、図９（Ｂ）は水平有効信号ＨＶａｌｉｄを、図９（Ｃ）は第１のイメージセンサ２４側の上側画像信号であることを示すトップ信号Ｔｏｐを、図９（Ｄ）は第１のイメージセンサ２４側の上側画像信号を転送することを示す上側シフトパルスＰＴＲＵを、図９（Ｅ）は第１のイメージセンサ２４側の上側画像信号の黒レベル信号ＬＣＬＰＵをそれぞれ示している。図９（Ｆ）は第２のイメージセンサ２５側の下側画像信号であることを示すボトム信号Ｂｏｔｔｏｍを、図９（Ｇ）は第２のイメージセンサ２５側の下側画像信号を転送することを示す下側シフトパルスＰＴＲＢを、図９（Ｈ）は第２のイメージセンサ２５側の下側画像信号の黒レベルＬＣＬＰＢを、それぞれ示している。
【００７５】
図９の例では、1ライン周期は３９１．５μｓであり、上下の隣接画素は１３０．５μｓ内の半分の６５．３μｓ内に転送される。
【００７６】
まず、トップ信号Ｔｏｐが６５．３μｓ間、アクティブのハイレベルに設定され、上側シフトパルスＰＴＲＵが所定期間ハイレベルに設定された後、水平有効信号ＨＶａｌｉｄの立ち上がりのタイミングで上側画像信号の黒レベル信号ＬＣＬＰＵが所定期間ハイレベルに設定される。これに伴い、上側のＲ（赤）画像信号が転送される。図９の例では、黒レベルは７２〜８０画素、有効画素が４３２画素、ダミーが９画素で転送される。次に、ボトム信号Ｂｏｔｔｏｍが６５．３μｓ間、アクティブのハイレベルに設定され、下側シフトパルスＰＴＲＢが所定期間ハイレベルに設定された後、水平有効信号ＨＶａｌｉｄの立ち上がりのタイミングで下側画像信号の黒レベル信号ＬＣＬＰＢが所定期間ハイレベルに設定される。これに伴い、下側のＲ（赤）画像信号が転送される。図９の例では、黒レベルは７２〜８０画素、有効画素が４３２画素、ダミーが９画素で転送される。
【００７７】
次に、トップ信号Ｔｏｐが６５．３μｓ間、アクティブのハイレベルに設定され、上側シフトパルスＰＴＲＵが所定期間ハイレベルに設定された後、水平有効信号ＨＶａｌｉｄの立ち上がりのタイミングで上側画像信号の黒レベル信号ＬＣＬＰＵが所定期間ハイレベルに設定される。これに伴い、上側のＧ（緑）画像信号が転送される。上記と同様に、黒レベルは７２〜８０画素、有効画素が４３２画素、ダミーが９画素で転送される。次に、ボトム信号Ｂｏｔｔｏｍが６５．３μｓ間、アクティブのハイレベルに設定され、下側シフトパルスＰＴＲＢが所定期間ハイレベルに設定された後、水平有効信号ＨＶａｌｉｄの立ち上がりのタイミングで下側画像信号の黒レベル信号ＬＣＬＰＢが所定期間ハイレベルに設定される。これに伴い、下側のＧ（緑）画像信号が転送される。上記と同様に、黒レベルは７２〜８０画素、有効画素が４３２画素、ダミーが９画素で転送される。
【００７８】
次に、トップ信号Ｔｏｐが６５．３μｓ間、アクティブのハイレベルに設定され、上側シフトパルスＰＴＲＵが所定期間ハイレベルに設定された後、水平有効信号ＨＶａｌｉｄの立ち上がりのタイミングで上側画像信号の黒レベル信号ＬＣＬＰＵが所定期間ハイレベルに設定される。これに伴い、上側のＢ（青）画像信号が転送される。上記と同様に、黒レベルは７２〜８０画素、有効画素が４３２画素、ダミーが９画素で転送される。次に、ボトム信号Ｂｏｔｔｏｍが６５．３μｓ間、アクティブのハイレベルに設定され、下側シフトパルスＰＴＲＢが所定期間ハイレベルに設定された後、水平有効信号ＨＶａｌｉｄの立ち上がりのタイミングで下側画像信号の黒レベル信号ＬＣＬＰＢが所定期間ハイレベルに設定される。これに伴い、下側のＢ（青）画像信号が転送される。上記と同様に、黒レベルは７２〜８０画素、有効画素が４３２画素、ダミーが９画素で転送される。
【００７９】
デジタル信号処理部３４は、アナログフロントエンド部３２から転送ポート３３を転送される画像信号に対して画像補正処理等を行い、アナログフロントエンド部３２から転送ポート３３を転送される連続するアナログ磁気信号に対して所定の処理を行いあるいはそのままメモリ３６に格納する等の処理を行う。
【００８０】
図１０は、本実施形態に係る信号処理部の構成例を示す図である。図１０の信号処理部３４Ａは、デジタル信号入力部３４１、磁気信号処理部３４２、画像信号処理部３４３、および内部メモリ３４４を含んで構成されている。
【００８１】
デジタル信号入力部３４１は、たとえばタイミングジェネレータ３５の制御の下、モード信号ＭＯＤに応じて転送ポート３３を転送された入力信号を、磁気信号処理部３４２または画像信号処理部３４３に出力する。デジタル信号入力部３４１は、モード信号ＭＯＤがハイレベル（Ｈ）に設定されているときは磁気信号読取モードであるとして、入力された信号はデジタル磁気信号であると判断し、この磁気信号を信号Ｓ３４１として磁気信号処理部３４２に出力する。デジタル信号入力部３４１は、モード信号ＭＯＤがローレベル（Ｌ）に設定されているときは画像信号読取モードであるとして、入力された信号はデジタル画像信号であると判断し、入力した画像信号を信号Ｓ３４２として画像信号処理部３４３に出力する。
【００８２】
磁気信号処理部３４２は、デジタル信号入力部３４１により供給される連続するデジタル磁気信号に対して所定の処理を行う。磁気信号処理部３４２は、供給された磁気信号をメモリ３６に格納する等の処理を行う。なお、本実施形態において、ホスト装置４０側で磁気信号の復調処理が行われる。また、復調方式はパターンマッチング方式に限定されるものではない。なお、復調方式の一つであるパターンマッチッング方式は、たとえば、特開２０００−１７３００８号に開示する復調方法であり、ここでの詳細な説明は省略する。ただし、磁気信号の復調処理は、デジタル信号処理部３４側のたとえば磁気信号処理部３４２で行うように構成することも可能である。
【００８３】
画像信号処理部３４３は、デジタル信号入力部３４１により供給されるランダムなデジタル画像信号に対して所定の画像補正処理等を行う画像処理部３４３１を含んで構成されている。画像信号処理部３４３は、画像処理部３４３１で画像処理を受けた画像信号をメモリ３６に格納する等の処理を行う。本実施形態では、ホスト装置４０において、ランダムなデジタル画像信号の並べ替え処理が行われる。なお、並べ替え処理は信号処理部３４Ａ側で行うように構成することも可能である。ホスト装置４０側においては、たとえば表示部４１に画像が表示される等される。
【００８４】
ここで、ランダムな画像信号の並べ替え処理について説明する。図１１は、本実施形態において処理される最終画像サイズの一例を示す図である。図１２は、本実施形態における画像信号の並べ替え処理の一例を示す図である。なお、図１２において、Ｈで示す信号は上側画像信号（上側画像信号）であり、Ｌで示す信号は下側画像信号（下側画像信号）を示している。
【００８５】
本例での最終画像サイズは、図１１に示すように、２３４１画素×１２９６画像であり、画像分解能な６００ＤＰＩである。最終画像ＦＩＭは、１ラインあたり１２９６画素であり、１チャンネルあたり４３２画素である。
【００８６】
並べ替え処理においては、図１２（Ａ）に示すように、ランダムに配列された画像信号は、図１２（Ｂ）に示すように、上位バイトと下位バイトが結合され、図１２（Ｃ）に示すように、画素配列順に並べ替えられる。
【００８７】
タイミングジェネレータ３５は、モード信号ＭＯＤに応じて、画像信号または磁気信号に応じた処理のクロックを含むタイミング信号を生成し、生成したタイミング信号により第１のイメージセンサ２４、第２のイメージセンサ２５、第１の光源部２６、第２の光源部２７、アナログスイッチ部３１、アナログフロントエンド部３２、転送ポート３３、および信号処理部３４の動作を制御する。タイミングジェネレータ３５は、アナログフロントエンド部３２におけるＡ／Ｄ変換のサンプリング周波数が、アナログ磁気信号Ｓ２９とアナログ画像信号Ｓ２４，Ｓ２５とで異なるように制御する。タイミングジェネレータ３５は、アナログフロントエンド部３２における磁気信号および画像信号のうち少なくとも磁気信号のＡ／Ｄ変換のサンプリング周波数を変更可能である。
【００８８】
図１３は、本実施形態に係るタイミングジェネレータの要部の構成例を示す図である。図１３のタイミングジェネレータ３５Ａは、センサ光源部制御部３５１、アナログスイッチ部制御部３５２、ＡＦＥ（アナログフロントエンド部）制御部３５３、転送ポート制御部３５４、および信号処理部制御部３５５を含んで構成されている。
【００８９】
センサ光源部制御部３５１は、画像信号読取モード（第２の読取モード）において、第１のイメージセンサ２４、第２のイメージセンサ２５、第１の光源部２６、および第２の光源部２７の図示しない画像信号読取駆動制御系に駆動信号を出力して、照明を含めた画像信号の読取タイミング等の駆動制御を行う。センサ光源部制御部３５１は、磁気信号読取モード（第１の読取モード）の場合には、画像信号に対する制御動作を行わない。
【００９０】
図１４は、本実施形態に係るタイミングジェネレータのセンサ光源部制御部における画像信号に対する制御動作の一例を説明するための図である。
【００９１】
図１４（Ａ）はスキャンスタート信号Ｓｃａｎ Ｓｔａｒｔ（画像データ読取処理のスタートを示す信号）を、図１４（Ｂ）は第１のイメージセンサ２４側の上側画像信号を転送することを示す上側シフトパルスＰＴＲ Ｕを、図１４（Ｃ）は第２のイメージセンサ２５側の下側画像信号を転送することを示す下側シフトパルスＰＴＲ Ｂを、図１４（Ｄ）は水平有効信号Ｈ Ｖａｌｉｄを、図１４（Ｅ）は第１の光源部２６の所定の光源をＰＷＭ駆動（ＬＥＤ照明制御）する上側光源駆動信号ＰＷＭ Ｕを、図１４（Ｆ）は第２の光源部２７の所定の光源をＰＷＭ駆動（ＬＥＤ照明制御）する下側光源駆動信号ＰＷＭＢを、図１４（Ｇ）は第１のイメージセンサ２４および第２のイメージセンサ２５で読み取られる画像信号Ｓ２４，Ｓ２５を、それぞれ示している。
【００９２】
ここでの説明では、画像信号読取モードにおいて各信号がセンサ光源部制御部３５１から画像信号読取駆動制御系に出力される。
【００９３】
図１４の例においても、図９の例と同様に、1ライン周期は３９１．５μｓであり、上下の隣接画素は１３０．５μｓ内の半分の６５．３μｓ内に転送される。
【００９４】
画像信号読取モードにおいては、スキャンスタート信号ＳｃａｎＳｔａｒｔがアクティブのハイレベル（Ｈ）で画像信号読取駆動制御系に出力される。そして、上側シフトパルスＰＴＲＵが所定期間ハイレベルに設定された後、水平有効信号Ｈ Ｖａｌｉｄが所定期間、アクティブのハイレベル（Ｈ）に設定される。ただし、これは一例であって、水平有効信号Ｈ Ｖａｌｉｄが所定期間、アクティブのローレベル（Ｌ）に設定されて読み取り処理を駆動制御するように構成することも可能である。そして、水平有効信号Ｈ Ｖａｌｉｄがローレベル（Ｌ）に設定された後、上側シフトパルスＰＴＲ Ｕがハイレベルに設定されてから６５μｓ経過すると、下側シフトパルスＰＴＲ Ｂが所定期間ハイレベルに設定された後、水平有効信号Ｈ Ｖａｌｉｄが所定期間、アクティブのハイレベル（Ｈ）に設定される。下側シフトパルスＰＴＲ Ｂがハイレベルに設定されてから、上側光源駆動信号ＰＷＭ Ｕおよび下側光源駆動信号ＰＷＭ Ｂが所定期間アクティブのハイレベルで出力され、第１の光源部２６および第２の光源部２７の駆動制御が行われる。この場合、図１４の例では、第１の光源部２６および第２の光源部２７の通常光源２６−１，２７−１が駆動される。そして、水平有効信号Ｈ Ｖａｌｉｄがローレベル（Ｌ）に設定された後、下側シフトパルスＰＴＲ Ｂがハイレベルに設定されてから６５μｓ経過すると、上側シフトパルスＰＴＲ Ｕが所定期間ハイレベルに設定された後、水平有効信号Ｈ Ｖａｌｉｄが所定期間、アクティブのハイレベル（Ｈ）に設定される。上側シフトパルスＰＴＲ Ｕがハイレベルに設定されてから、上側光源駆動信号ＰＷＭＵおよび下側光源駆動信号ＰＷＭＢが所定期間アクティブのハイレベルで出力され、第１の光源部２６および第２の光源部２７の駆動制御が行われる。この場合、図１４の例では、第１の光源部２６は赤外（ＩＲ）光源２６−２が駆動され、第２の光源部２７は通常光源２７−１が駆動される。
【００９５】
以上の動作が繰り返される。第１の光源部２６および第２の光源部２７の駆動制御は、通常（可視光）光源、ＩＲ光源、ＵＶ光源が適宜選択されて行われる。
【００９６】
アナログスイッチ部制御部３５２は、画像信号読取モードにおいて、タイミング信号ＴＴとタイミング信号ＴＢを相補的にアクティブのハイレベル（Ｈ）に設定して、アナログスイッチ部３１の第２のスイッチ部３１２に出力する。
【００９７】
ＡＦＥ制御部３５３は、磁気信号読取モードにおいて、サンプリング周波数を磁気データ読み取りにあわせた周波数、たとえば８９．６ｋＨｚに設定したクロックＡＤＣＬＫをアナログフロントエンド部３２のＡ／Ｄ変換部３２１に供給する。また、ＡＦＥ制御部３５３は、この磁気信号読取モードにおいては、サンプリング周波数の２倍の周波数の信号転送用クロック２ＡＤＣＬＫをアナログフロントエンド部３２のデジタル信号転送部３２４に供給する。
【００９８】
ＡＦＥ制御部３５３は、画像信号読取モードにおいて、サンプリング周波数を画像データ読み取りにあわせた周波数、たとえば２４ＭＨｚに設定したクロックＡＤＣＬＫをアナログフロントエンド部３２のＡ／Ｄ変換部３２１に供給する。また、ＡＦＥ制御部３５３は、この画像信号読取モードにおいては、サンプリング周波数の２倍の周波数の信号転送用クロック２ＡＤＣＬＫをアナログフロントエンド部３２のデジタル信号転送部３２４に供給する。
【００９９】
転送ポート制御部３５４は、画像信号読取モードにおいて、図９に示すような、転送を制御するための垂直有効信号Ｖ Ｖａｌｉｄ、水平有効信号Ｈ Ｖａｌｉｄ、トップ信号Ｔｏｐ、上側シフトパルスＰＴＲ Ｕ、黒レベル信号ＬＣＬＰ Ｕ、ボトム信号Ｂｏｔｔｏｍ、下側シフトパルスＰＴＲ Ｂ、および黒レベルＬＣＬＰ Ｂを、転送ポート３３の図示しない制御系に出力して、画像信号の転送を制御する。
【０１００】
信号処理部制御部３５５は、磁気信号読取モードにおいて、信号処理部３４の磁気信号処理部３４２における動作タイミング信号等を生成して供給する。信号処理部制御部３５５は、画像信号読取モードにおいて、デジタル信号処理部３４の画像信号処理部３４３における画像補正処理等の動作タイミング信号等を生成して供給する。また、信号処理部制御部３５５は、デジタル磁気信号またはデジタル画像信号に対する制御動作を行う際に、信号処理部３４の転送ポート３３を転送された磁気信号および画像信号のデジタル信号受信を制御する。
【０１０１】
以上、本実施形態に係る情報媒体読取装置１０の各部の構成および機能について詳細に説明した。次に、本実施形態に係る情報媒体読取装置１０の全体的な動作について説明する。
【０１０２】
［情報媒体読取装置１０の全体的な動作］
図１５は、本実施形態に係る情報媒体読取装置の全体的な動作を説明するためのフローチャートである。図１６は、図１５の磁気信号読取処理を説明するためのフローチャートである。図１７は、図１５の画像信号読取処理を説明するためのフローチャートである。
【０１０３】
カード搬送路２１にカード状媒体ＭＣが挿入されると（ステップＳＴ１）、挿入されたカード状媒体ＭＣはカード搬送部２２により磁気ヘッド２３の配置領域に搬送される（ステップＳＴ２）。ここで、情報媒体読取装置１０は磁気信号読取モード（第１の読取モード）にあり、アナログ磁気信号の読取処理が行われる（ステップＳＴ３）
【０１０４】
ステップＳＴ３の磁気信号読取処理においては、図１６に示すように、まず、磁気ストライプｍｓのアナログ磁気信号が読み取られる（ステップＳＴ３１）。磁気ヘッド２３で読み取られたアナログ磁気信号Ｓ２３は、アンプ２８で増幅され（ステップＳＴ３２）、増幅されたアナログ磁気信号Ｓ２８はレベル調整部２９に供給される。レベル調整部２９においては、磁気ヘッド２３で読み取られた磁気信号Ｓ２８に、図３に示すように、所定の変換電圧範囲ＶＲＮＧの中心値に相当するバイアス電圧ＶＩＳが加えられてレベル調整される（ステップＳＴ３３）。レベル調整された磁気信号Ｓ２９はアナログスイッチ部３１に供給される。アナログスイッチ部３１においては、磁気信号読取モード（第１の読取モード）を示すモード信号ＭＯＤが供給されており、これにより、第１のスイッチ部３１１がオンしている。その結果、アナログスイッチ部３１に入力された磁気信号Ｓ２８は第１のスイッチ部３１１を介してアナログフロントエンド部３２に転送される。
【０１０５】
アナログフロントエンド部３２においては、たとえば磁気信号読取モード（第１の読取モード）を示すモード信号ＭＯＤが供給されており、これにより、アナログ信号入力部３２２で入力された信号はアナログ磁気信号Ｓ２９であると判断され、このレベル調整されている磁気信号Ｓ２９がＡ／Ｄ変換部３２１に出力される。
【０１０６】
Ａ／Ｄ変換部３２１においては、レベル調整されたアナログ磁気信号Ｓ２９が画像読み取り時の黒基準電圧に応じた電圧をボトム電圧として、所定の変換電圧範囲ＶＲＮＧ内においてクロックＡＤＣＬＫに同期して、デジタル信号にＡ／Ｄ変換される（ステップＳＴ３４）。そして、デジタル信号転送部３２３において、Ａ／Ｄ変換部３２１でデジタル信号に変換された磁気信号が、たとえばサンリング周波数のクロックＡＤＣＬＫの２倍の周波数のクロック２ＡＤＣＬＫに同期してデジタル信号処理部３４に転送される（ステップＳＴ３５）。デジタル信号処理部３４においては、アナログフロントエンド部３２から転送ポート３３を転送された連続する磁気信号に対して、所定の処理が行われる（ステップＳＴ３６）。以上により、磁気信号読取処理が完了する。
【０１０７】
次に、図１５のステップＳＴ４に示すように、カード状媒体ＭＣがカード搬送部２２により画像信号読取位置、すなわち、第１のイメージセンサ２４、第２のイメージセンサ２５、第１の光源部２６、および第２の光源部２７が配置されている画像信号読取領域に搬送される。ここで、情報媒体読取装置１０は画像信号読取モード（第２の読取モード）となり、画像信号の読取処理が行われる（ステップＳＴ５）。
【０１０８】
ステップＳＴ５の画像信号読取処理においては、図１７に示すように、まず、カード状媒体ＭＣの表面（おもてめん）および裏面に形成されている画像ＩＭが、第１のイメージセンサ２４および第２のイメージセンサ２５で、タイミングジェネレータ３５により第１の光源部２６および第２の光源部２７による照明が制御されながら、たとえば交互に読み取られる（ステップＳＴ５１）。第１のイメージセンサ２４および第２のイメージセンサ２５で読み取られたアナログ画像信号Ｓ２４、Ｓ２５は、アナログスイッチ部３１に供給される。アナログスイッチ部３１においては、画像信号読取モード（第２の読取モード）を示すモード信号ＭＯＤが供給されており、これにより、第２のスイッチ部３１２がオンしている。そして、アナログスイッチ部３１においては、タイミングジェネレータ３５によりタイミング信号ＴＴ、ＴＢによりスイッチＳＷ２、ＳＷ３が相補的にオン、オフするように制御され、第１のイメージセンサ２４で読み取られた上側画像信号Ｓ２４と第２のイメージセンサ２５で読み取られた下側画像信号Ｓ２５が交互に、アナログフロントエンド部３２に転送される（ステップＳＴ５２）。
【０１０９】
アナログフロントエンド部３２においては、画像信号読取モード（第２の読取モード）を示すモード信号ＭＯＤが供給されており、これにより、アナログ信号入力部３２２で入力された信号はアナログ画像信号Ｓ２４、Ｓ２５であると判断され、これら画像信号Ｓ２４，２５がＡ／Ｄ変換部３２１に出力される。
【０１１０】
Ａ／Ｄ変換部３２１においては、アナログ画像信号Ｓ２４、Ｓ２５が画像読み取り時の黒基準電圧に応じた電圧をボトム電圧として、所定の変換電圧範囲ＶＲＮＧ内においてクロックＡＤＣＬＫに同期して、デジタル画像信号にＡ／Ｄ変換される（ステップＳＴ５３）。そして、デジタル信号転送部３２３において、Ａ／Ｄ変換部３２１でデジタル信号に変換された磁気信号が、たとえばサンリング周波数のクロックＡＤＣＬＫの２倍の周波数のクロック２ＡＤＣＬＫに同期して信号処理部３４に転送される（ステップＳＴ５４）。デジタル信号処理部３４においては、アナログフロントエンド部３２から転送ポート３３を転送された画像信号に対して所定の画像補正処理等が行われる（ステップＳＴ５５）。以上により、画像信号読取処理が完了する。
【０１１１】
画像信号読取処理が完了すると。図１５のステップＳＴ６に示すように、カード状媒体ＭＣがカード搬送部２２によりカード挿入領域の定位置に排出方向に搬送される。そして、ユーザ等により磁気信号読取処理および画像信号読取処理を受けたカード状媒体ＭＣが取り出される（ステップＳＴ７）。
【０１１２】
［実施形態の主な効果］
上述したように、本実施形態の情報媒体読取装置１０においては、カード処理部２０と、カード処理部２０の出力に対する処理で共用される読取処理部３０、とを有している。カード処理部２０は、情報媒体、たとえばカード状媒体ＭＣに記録された磁気信号を読み取る磁気ヘッド２３と、情報媒体の表面（おもてめん）および裏面の少なくとも一方の面、たとえば両面の画像信号を撮影して読み取る第１のイメージセンサ２４および第２のイメージセンサ２５と、第１のイメージセンサ２４の撮影領域を照明する第１の光源部２６と、第２のイメージセンサ２５の撮影領域を照明する第２の光源部２７と、を有する。
【０１１３】
また、カード処理部２０または読取処理部３０は、磁気ヘッド２３で読み取られた磁気信号の電圧レベルを変換電圧範囲ＶＲＮＧ内となるようにレベル調整するレベル調整部２９を有する。読取処理部３０は、アナログスイッチ部３１と、アナログフロントエンド部３２と、転送ポート３３と、信号処理部３４と、タイミング制御部としてのタイミングジェネレータ３５と、を有する。アナログスイッチ部３１は、磁気ヘッド２３により読み取られた磁気信号および第１のイメージセンサ２４、第２のイメージセンサ２５により読み取られた画像信号のいずれかを、モード信号ＭＯＤに応じて選択し出力する。アナログフロントエンド部３２は、画像読み取り時の黒基準電圧に応じた電圧をボトム電圧として、所定の変換電圧範囲ＶＲＮＧ内においてクロックＡＤＣＬＫに同期して、アナログ信号をデジタル信号に変換するＡ／Ｄ変換機能を有する。アナログフロントエンド部３２は、アナログスイッチ部３１により画像信号が選択された場合は、画像信号を入力レベルのままでアナログ信号からデジタル信号にＡ／Ｄ変換し、アナログスイッチ部３１により磁気信号が選択された場合は、電圧レベルが変換電圧範囲ＶＲＮＧ内となるように調整された磁気信号を変換電圧範囲内においてアナログ信号からデジタル信号にＡ／Ｄ変換する。
【０１１４】
転送ポート３３は、アナログフロントエンド部３２でＡ／Ｄ変換されたデジタル磁気信号またはデジタル画像信号を、タイミングジェネレータ３５の制御の下、同じ転送経路をもってデジタル信号処理部３４に転送する。デジタル信号処理部３４は、アナログフロントエンド部３２から転送される画像信号に対して画像補正等の処理を行い、アナログフロントエンド部３２から転送される連続する磁気信号に対して所定の処理を行う。タイミングジェネレータ３５は、モード信号ＭＯＤに応じて、画像信号または磁気信号に応じた処理のクロックを含むタイミング信号を生成し、生成したタイミング信号により第１のイメージセンサ２４、第２のイメージセンサ２５、第１の光源部２６、第２の光源部２７、アナログスイッチ部３１、アナログフロントエンド部３２、転送ポート３３、および信号処理部３４の動作を制御する。タイミングジェネレータ３５は、アナログフロントエンド部３２におけるＡ／Ｄ変換のサンプリング周波数が、アナログ磁気信号Ｓ２８とアナログ画像信号Ｓ２４，Ｓ２５とで異なるように制御する。タイミングジェネレータ３５は、アナログフロントエンド部３２における磁気信号および画像信号のうち少なくとも磁気信号のＡ／Ｄ変換のサンプリング周波数を変更可能である。
【０１１５】
したがって、本実施形態によれば、以下の効果を得ることができる。本実施形態に係る情報媒体読取装置は、基本的に信号処理系は、イメージセンサで読み取られる画像信号に対して信号処理を行う画像信号読取系（画像信号処理系）と、磁気ヘッドで読み取られる磁気信号に対する信号処理を行う磁気信号読取系（磁気信号処理系）とが共用されている。したがって、情報媒体読取装置（カードスキャナ）において、磁気信号の読み取りについてはメイン基板とは別に、磁気信号読取専用ＩＣを実装したサブ基板を用いた構成をとる必要がなくなり、磁気信号読取用ＩＣと周辺回路部品が不要で、基板も別々に設ける必要がなく、回路規模の増大、装置の増大、コスト高と防止することができる。すなわち、本実施形態によれば、画像信号の読取系と磁気信号の読取系を同じ信号処理系、すなわち、アナログ信号処理部としてのアナログフロトエンド部で共用でき、部品点数を削減でき、回路規模の増大、装置の増大を抑止でき、ひいてはコストを低減することが可能となる利点がある。
【０１１６】
また、画像データと同じ信号処理系を共用できることから、磁気データ読み取りの解析が行いやすくなる。また、サンプリング周波数を高くすることにより、磁気信号の読み取り精度を上げることができる。また、画像信号と同じ信号処理系を共用できることから、磁気信号読み取りの解析が行いやすくなる。また、画像信号の一連の処理を磁気信号読取系と共用されている処理系を用いて高精度に行うことが可能となる。同様に、磁気信号の一連の処理を画像信号読取系と共用されている処理系を用いて高精度に行うことが可能となる。また、信号転送の形態に対応した信号処理を的確に行うことが可能となる。
【０１１７】
［他の実施形態］
上述したように、磁気信号読み取り時のサンプリング周波数を任意に変更可能である。たとえば、サンプリング周波数をさらに高くすることにより、より詳細なアナログ磁気信号（の波形）を採取可能となる。また、カード検査機への応用が期待できる。磁気信号の波形を、たとえば図４に示すように、表示部４１上に表示することなどで、カードの検査が容易になる。また、バックリードへの対応が可能となる。磁気波形をデジタル信号としてもつことができるため、カード排出時に磁気信号読み取りを行うバックリードへの対応も容易になる。
【０１１８】
なお、上述した実施形態は、情報媒体としてカード状媒体を例に説明したが、本発明は、他の磁気情報が記録されたＩＤカード等の情報媒体にも応用できる。
【符号の説明】
【０１１９】
１０・・・情報媒体（カード状媒体）読取装置、２０・・・カード処理部、２１・・・カード搬送路、２２・・・カード搬送部、２３・・・磁気ヘッド、２４・・・第１のイメージセンサ、２５・・・第２のイメージセンサ、２６・・・第１の光源部、２７・・・第２の光源部、２８・・・アンプ、３０・・・読取処理部、３１・・・アナログスイッチ部、３２・・・アナログフロントエンド（ＡＦＥ）部、３３・・・転送ポート、３４・・・（デジタル）信号処理部、３５・・・タイミングジェネレータ（タイミング制御部）、ＭＣ・・・カード状媒体（磁気記録媒体）、ｍｓ・・・磁気ストライプ。
【図１】
2015030022.tif 000003
【図２】
2015030022.tif 000004
【図３】
2015030022.tif 000005
【図４】
2015030022.tif 000006
【図５】
2015030022.tif 000007
【図６】
2015030022.tif 000008
【図７】
2015030022.tif 000009
【図８】
2015030022.tif 000010
【図９】
2015030022.tif 000011
【図１０】
2015030022.tif 000012
【図１１】
2015030022.tif 000013
【図１２】
2015030022.tif 000014
【図１３】
2015030022.tif 000015
【図１４】
2015030022.tif 000016
【図１５】
2015030022.tif 000017
【図１６】
2015030022.tif 000018
【図１７】
2015030022.tif 000019
【国際調査報告】
2015030022.tif 000020
2015030022.tif 000021
2015030022.tif 000022
2015030022.tif 000023